(57)【要約】【課題】濾波装置の妨害波除去特性を向上させること。【解決手段】本発明の濾波装置９は、低域通過特性又は帯域通過特性を有する積層型濾波器１０と、この積層型濾波器１０の出力側に接続された弾性表面波型濾波器１１とを備え、弾性表面波型濾波器１１は、積層型濾波器１０の上面に実装され、積層型濾波器１０の出力端子１３は弾性表面波型濾波器１１に覆われた構成である。上記濾波装置９において、積層型濾波器１０の出力端子１３若しくは、この出力端子１３に接続された信号線１７が弾性表面波型濾波器１１に覆われた構成である為、積層型濾波器１０で高周波ノイズを除去された信号に再度高周波ノイズが積層型濾波器１０の出力側で重畳することを抑制することができる。【選択図】図１
2008283340.tif 000002
【特許請求の範囲】
【請求項１】
低域通過特性又は帯域通過特性を有する積層型濾波器と、
この積層型濾波器の出力側に接続された弾性表面波型濾波器とを備え、
前記弾性表面波型濾波器は、前記積層型濾波器の上面に実装され、
前記積層型濾波器の出力端子は前記弾性表面波型濾波器に覆われた濾波装置。
【請求項２】
前記弾性表面波型濾波器は帯域阻止特性を有する請求項１に記載の濾波装置。
【請求項３】
前記弾性表面波型濾波器はその上面に配置された金属板を有する請求項１に記載の濾波装置。
【請求項４】
前記積層型濾波器の出力端子と前記弾性表面波型濾波器の入力端子との距離は前記弾性表面波型濾波器の遮断周波数における信号の波長の８分の１以下である請求項１に記載の濾波装置。
【請求項５】
前記積層型濾波器の出力端子と前記弾性表面波型濾波器の入力端子とは重なり合った請求項１に記載の濾波装置。
【請求項６】
前記積層型濾波器は低域通過特性を有し、前記積層型濾波器の遮断周波数ｆ１と前記弾性表面波型濾波器の阻止周波数ｆ２の関係は、ｆ１＜ｆ２である請求項１に記載の濾波装置。
【請求項７】
請求項１から請求項６のいずれか１つに記載の濾波装置の出力側に接続された受信回路を備えた電子チューナ。
【請求項８】
請求項１から請求項６のいずれか１つに記載の濾波装置の出力側に接続された受信回路と、この受信回路の出力側に接続された表示部とを備えた電子機器。
【発明の詳細な説明】
【技術分野】
【０００１】
本発明は携帯電話などの無線通信に用いる濾波装置に関するものである。
【背景技術】
【０００２】
従来の濾波装置について、図４を用いて説明する。図４は、従来の濾波装置の上面図である。図４において、従来の濾波装置１は、低域通過特性又は帯域通過特性を有する積層型濾波器２と、この積層型濾波器２の出力側に接続された弾性表面波型濾波器３とを備えていた。また、積層型濾波器２と弾性表面型濾波器３とは基板（図示せず）の上面に実装されていた。さらに、積層型濾波器２において、入力端子４と出力端子５とが対向する辺に設けられていると共に、弾性表面波型濾波器３において、入力端子６と出力端子７とが対向する辺に設けられていた。そして、積層型濾波器２の出力端子５と弾性表面波型濾波器３の入力端子６とは、基板（図示せず）の実装面のランドパターンからなる信号線８により接続されていた。
【０００３】
尚、この出願の発明に関連する先行技術文献として、例えば、特許文献１が知られている。
【特許文献１】特開平１１−２７９５９３号公報
【発明の開示】
【発明が解決しようとする課題】
【０００４】
従来の濾波装置１において、積層型濾波器２の出力端子５と弾性表面波型濾波器３の入力端子６とを接続する信号線８が基板（図示せず）上に露出されていた。そのため、積層型濾波器２で高周波ノイズを除去され信号線８を通過する信号に再度高周波ノイズが重畳し、濾波装置１の妨害波除去特性が劣化するという問題があった。
【０００５】
そこで本発明は、濾波装置の妨害波除去特性を向上させることを目的とする。
【課題を解決するための手段】
【０００６】
上記目的を達成するために本発明の濾波装置は、低域通過特性又は帯域通過特性を有する積層型濾波器と、この積層型濾波器の出力側に接続された弾性表面波型濾波器とを備え、弾性表面波型濾波器は、積層型濾波器の上面に実装され、積層型濾波器の出力端子は前記弾性表面波型濾波器に覆われた構成である。
【発明の効果】
【０００７】
上記濾波装置において、積層型濾波器の出力端子若しくは、この出力端子に接続された信号線が弾性表面波型濾波器に覆われた構成である為、積層型濾波器で高周波ノイズを除去された信号に再度高周波ノイズが積層型濾波器の出力側で重畳することを抑制することができる。その結果、濾波装置の妨害波除去特性を向上させることができる。
【発明を実施するための最良の形態】
【０００８】
(実施の形態１)
以下、本発明の実施の形態１における濾波装置について、図１と図２を参照しながら説明する。図１は、本発明の実施の形態１における濾波装置の斜視図であり、図２は、本発明の実施の形態１における濾波装置の上面透視図である。
【０００９】
図１、図２において、濾波装置９は、携帯電話やパソコン等の情報処理装置（図示せず）のアンテナに接続されて、例えば、ワンセグ放送等の地上波デジタル放送受信に用いられる。尚、この濾波装置９を搭載した電子チューナ（図示せず）は、濾波装置９の出力側に接続された受信回路（図示せず）を備える。また、濾波装置９を搭載した電子機器は、その電子チューナの出力側に接続された表示部（図示せず）を備える。
【００１０】
濾波装置９は、低域通過特性又は帯域通過特性を有し低温焼成基板により形成された積層型濾波器１０と、この積層型濾波器１０の出力側に接続された弾性表面波型濾波器１１とを備える。また、弾性表面波型濾波器１１は、積層型濾波器１０の上面に実装されている。
【００１１】
積層型濾波器１０の入力端子１２は積層型濾波器１０における一方の短辺に設けられ、積層型濾波器１０の出力端子１３は積層型濾波器１０の上面に設けられている。この積層型濾波器１０の出力端子１３は、弾性表面波型濾波器１１に覆われている。尚、基準電位を有するグランド端子１４が対向する長辺に設けられている。
【００１２】
弾性表面波型濾波器１１の入力端子１５と弾性表面波型濾波器１１の出力端子１６とが弾性表面波型濾波器１１の互いに対向する辺に設けられている。この弾性表面波型濾波器１１の入力端子１５と積層型濾波器１０の出力端子１３とは積層型濾波器１０の上に設けられた信号線１７によって接続されている。尚、弾性表面波型濾波器１１において、基準電位を有するグランド端子１８は、入力端子１５及び出力端子１６と隣り合う辺に設けられ、積層型濾波器１０のグランド端子１４に接続されている。
【００１３】
さらに、積層型濾波器１０は、積層型濾波器１０の上に設けられてＲＦ回路（図示せず）に接続されるＲＦ端子１９を備える。そして、このＲＦ端子１９と弾性表面波型濾波器１１の出力端子１６とは積層型濾波器１０の上に設けられた信号線２０によって接続されている。
【００１４】
上記濾波装置９において、積層型濾波器１０の出力端子１３若しくは、この出力端子１３に接続された信号線１７が弾性表面波型濾波器１１に覆われた構成である為、積層型濾波器１０で高周波ノイズを除去された信号に再度高周波ノイズが積層型濾波器１０の出力側で重畳することを抑制することができる。その結果、濾波装置９の妨害波除去特性を向上させることができる。
【００１５】
また、弾性表面波型濾波器１１はその上面に配置された金属板２１を有するのが望ましい。これにより、積層型濾波器１０で高周波ノイズを除去された信号に再度高周波ノイズが弾性表面波型濾波器１１において重畳することを更に抑制することができる。その結果、濾波装置９の妨害波除去特性を更に向上させることができる。
【００１６】
さらに、積層型濾波器１０の出力端子１３と弾性表面波型濾波器１１の入力端子１５との距離は弾性表面波型濾波器１１の遮断周波数における信号の波長の８分の１以下であることが望ましい。このように信号線１７を短くすることにより、積層型濾波器１０で高周波ノイズを除去された信号に再度高周波ノイズが信号線１７において重畳することを更に抑制することができる。その結果、濾波装置９の妨害波除去特性を更に向上させることができる。
【００１７】
さらにまた、積層型濾波器１０の出力端子１３と弾性表面波型濾波器１１の入力端子１５とは重なり合っていることが更に望ましい。これにより、積層型濾波器１０で高周波ノイズを除去された信号に再度高周波ノイズが出力端子１３と入力端子１５との間において重畳することを更に抑制することができる。その結果、濾波装置９の妨害波除去特性を更に向上させることができる。
【００１８】
また、図３に示す様に、積層型濾波器１０が低域通過特性を有する場合、積層型濾波器１０の遮断周波数ｆ１と弾性表面波型濾波器１１の阻止周波数ｆ２の関係は、ｆ１＜ｆ２となることが望ましい。これにより、弾性表面波型濾波器１１の阻止周波数が積層型濾波器１０の通過帯域周波数に重なる状況を防止し、濾波装置９の通過帯域内における挿入損失を抑制することができる。
【産業上の利用可能性】
【００１９】
本発明の濾波装置は、濾波装置の妨害波除去特性を向上させることができるので、テレビ機能付携帯端末や車載受信装置等の電子機器に有用である。
【図面の簡単な説明】
【００２０】
【図１】本発明の実施の形態１における濾波装置の斜視図
【図２】同実施の形態１における濾波装置の上面透視図
【図３】同実施の形態１における濾波装置の通過特性図
【図４】従来の濾波装置の上面図
【符号の説明】
【００２１】
９  濾波装置
１０  積層型濾波器
１１  弾性表面波型濾波器
１２  入力端子
１３  出力端子
１４  グランド端子
１５  入力端子
１６  出力端子
１７  信号線
１８  グランド端子
１９  ＲＦ端子
２０  信号線
２１  金属板
【図１】
2008283340.tif 000003
【図２】
2008283340.tif 000004
【図３】
2008283340.tif 000005
【図４】
2008283340.tif 000006